(57)【要約】【課題】軽量で、保温断熱性、吸放湿性、弾力性、衝撃吸収性、耐久性に優れ、再生利用が容易な畳床および畳を提供する。【解決手段】２つの稲わら層２，７の間にポリスチレンフォーム層４とクッションボード層６とが設けられている。ポリスチレンフォーム層４の両面を２枚の分別シート３，５で挟んでいる。クッションボード層６は、麻繊維を７０重量％以上含み、麻繊維を粘着剤で固めて成っている。畳１１は、畳床１０のクッションボード層６の側の稲わら層７の表面に畳表８を取り付けて成っている。【選択図】図１
0003180059.tif 000002
【実用新案登録請求の範囲】
【請求項１】
２つの稲わら層の間に、麻繊維を７０重量％以上含むクッションボード層と、ポリスチレンフォーム層とを有し、前記ポリスチレンフォーム層の両面を２枚のシートで挟んで成ることを特徴とする畳床。
【請求項２】
請求項１記載の畳床の前記クッションボード層の側の前記稲わら層の表面に畳表を取り付けて成ることを特徴とする畳。
【考案の詳細な説明】
【技術分野】
【０００１】
本考案は、畳床および畳に関する。
【背景技術】
【０００２】
畳床には、主に、わら床、建材畳床、ポリスチレンフォームサンドイッチ床の３種類がある。わら床には、わらの持つ吸放湿性により室内環境を改善する利点がある。建材畳床は、機械化により大量生産が可能で、また、わら床に比べて軽くて取り扱いやすいという利点がある。ポリスチレンフォームサンドイッチ床は、稲わらによる吸放湿性、弾力性および衝撃吸収性と、ポリスチレンフォームによる保温断熱性とを備え、わら床に比べて軽くて取り扱いやすいという利点がある（例えば、特許文献１参照）。
【先行技術文献】
【特許文献】
【０００３】
【特許文献１】特開２００１−３１７１８８号公報
【考案の概要】
【考案が解決しようとする課題】
【０００４】
しかしながら、従来のわら床は、重くて取り扱いにくいという課題があった。建材畳床は、吸放湿性、弾力性、衝撃吸収性および耐久性に欠けるという課題があった。ポリスチレンフォームサンドイッチ床は、建材畳床に比べれば弾力性、衝撃吸収性が改善されているが、わら床に比べれば劣るという課題があった。また、ポリスチレンフォームサンドイッチ床は、分別して再生利用するとき、ポリスチレンフォームの両面に付着した稲わらを取り除く必要があり、再生利用に労力と作業コストがかかるという課題があった。
【０００５】
本考案は、このような従来の課題に着目してなされたもので、軽量で、保温断熱性、吸放湿性、弾力性、衝撃吸収性、耐久性に優れ、再生利用が容易な畳床および畳を提供することを目的とする。
【課題を解決するための手段】
【０００６】
上記目的を達成するために、本考案に係る畳床は、２つの稲わら層の間に、麻繊維を７０重量％以上含むクッションボード層と、ポリスチレンフォーム層とを有し、前記ポリスチレンフォーム層の両面を２枚のシートで挟んで成ることを特徴とする。
本考案に係る畳は、本考案に係る畳床の前記クッションボード層の側の前記稲わら層の表面に畳表を取り付けて成ることを特徴とする。
【０００７】
本考案に係る畳床は、稲わら層による吸放湿性、弾力性および衝撃吸収性と、ポリスチレンフォーム層による保温断熱性とを備え、耐久性に優れる。クッションボード層およびポリスチレンフォーム層により、従来のわら床に比べて軽量で、作業性が良好である。クッションボード層は、麻繊維を７０重量％以上含むことにより反発力があり、吸放湿性、弾力性および衝撃吸収性を高める。ポリスチレンフォーム層の両面は、２枚のシートで挟まれているため、稲わら層のわらが付着せず、稲わら層とポリスチレン層とを容易に分別できる。稲わら層、クッションボード層およびポリスチレンフォーム層は、分別により容易に再生利用できる。
【０００８】
本考案に係る畳は、本考案に係る畳床の利点を備える。また、クッションボード層の側の稲わら層の表面に畳表が取り付けられているため、畳表側で稲わら層とクッションボード層との相乗効果により、吸放湿性、弾力性および衝撃吸収性が高められている。
本考案に係る畳床の底面には、防虫シートが貼り付けられていることが好ましい。また、畳床に備長炭を含んでいてもよい。この場合、備長炭により、調湿効果、ＶＯＣの吸着効果、脱臭効果を得ることができる。
【考案の効果】
【０００９】
本考案によれば、軽量で、保温断熱性、吸放湿性、弾力性、衝撃吸収性、耐久性に優れ、再生利用が容易な畳床および畳を提供することができる。
【図面の簡単な説明】
【００１０】
【図１】本考案の実施の形態の畳を示す断面図である。
【考案を実施するための形態】
【００１１】
以下、図面に基づき本考案の実施の形態について説明する。
図１は、本考案の実施の形態の畳床１０および畳１１を示している。
図１に示すように、畳床１０は、下層から上層にかけて順に防虫シート１、稲わら層２、分別シート３、ポリスチレンフォーム層４、分別シート５、クッションボード層６、稲わら層７を有している。このように、２つの稲わら層２，７の間にポリスチレンフォーム層４とクッションボード層６とが設けられている。また、ポリスチレンフォーム層４の両面を２枚の分別シート３，５で挟んでいる。
【００１２】
クッションボード層６は、麻繊維を７０重量％以上含み、麻繊維を粘着剤で固めて成っている。分別シート３，５は、紙製のシートから成る。分別シート５は、補強板を兼ねている。畳床１０は、畳床製造機により製造することができる。
畳１１は、畳床１０のクッションボード層６の側の稲わら層７の表面に畳表８を取り付けて成っている。畳表８は、框縫い機により畳床１０に縫い付けることができる。畳表８を取付け後、畳縁が取り付けられる。
【００１３】
次に、作用について説明する。
畳床１０は、稲わら層２，７による吸放湿性、弾力性および衝撃吸収性と、ポリスチレンフォーム層４による保温断熱性とを備え、耐久性に優れる。ポリスチレンフォーム層４およびクッションボード層６により、従来のわら床に比べて軽量で、作業性が良好である。クッションボード層６は、麻繊維を７０重量％以上含むことにより反発力があり、吸放湿性、弾力性および衝撃吸収性を高める。ポリスチレンフォーム層４の両面は、２枚の分別シート３，５で挟まれているため、稲わら層２，７のわらが付着せず、稲わら層２，７とポリスチレン層４とを容易に分別できる。稲わら層２，７、ポリスチレンフォーム層４およびクッションボード層６は、分別により容易に再生利用できる。
【００１４】
畳床１０を用いた畳１１は、畳床１０の利点を備える。また、クッションボード層６の側の稲わら層７の表面に畳表８が取り付けられているため、畳表８の側で稲わら層７とクッションボード層６との相乗効果により、吸放湿性、弾力性および衝撃吸収性が高められている。
【００１５】
このように、畳床１０および畳１１は、軽量で、保温断熱性、吸放湿性、弾力性、衝撃吸収性、耐久性に優れ、再生利用が容易である。保温断熱性に優れることから、省エネルギー住宅に最適である。また、ＪＩＳ規格を満たす強度の、耐久性の高い製品を製造することができる。再生利用が容易なため、自然環境に配慮した製品となる。
【符号の説明】
【００１６】
１    防虫シート
２    稲わら層
３    分別シート
４    ポリスチレンフォーム層
５    分別シート
６    クッションボード層
７    稲わら層
８    畳表
１０  畳床
１１  畳
【図１】
0003180059.tif 000003